(57)【要約】【課題】  ドアの開放補助装置において、ドアを閉じた状態では、開放補助力が作用せず、ドアを開放する際に開放補助力が作用するようにする。【解決手段】  本体（１）に、回動可能なレバー（６）と進退可能な突き出し部材（１１）を設ける。この突き出し部材（１１）は、前進位置に向けて圧縮ばね（１２）で付勢されている。上記レバー（６）の先端部（７）がドア枠（３）に当ると、レバー（６）は回動し、上記突き出し部材（１１）は後退位置に移動し、保持手段で保持される。上記圧縮ばね（１２）には復元力が自開力として蓄積され、上記突き出し部材（１１）は前進位置に向けて付勢されているが、保持手段により保持されているので、移動しない。保持手段の保持を解除すると、上記突き出し部材（１１）は前進してドアの開放を補助する。【選択図】      図１
2006118116.tif 000002
【特許請求の範囲】
【請求項１】
ドアを閉じるときドア枠若しくはドアに当接する作動部材を介して突き出し部材を後退し、該突き出し部材を前進方向に付勢する付勢手段に自開力を蓄積し、ドアを閉じた状態ではこの自開力が発現しないよう上記付勢手段を保持し、ドアを開くとき上記保持を解除して自開力を発現し上記突き出し部材を前進させ、ドアの開放直後の暫時の間上記自開力によりドアの開放を補助することを特徴とするドアの開放補助方法。
【請求項２】
上記付勢手段に蓄積される自開力は、ドアの閉じ力よりも大きな力である請求項１に記載のドアの開放補助方法。
【請求項３】
上記付勢手段に蓄積される自開力は、調整可能である請求項１に記載のドアの開放補助方法。
【請求項４】
ドアを開く方向に付勢する突き出し部材を有し、ドアを閉じるとき該突き出し部材を後退させて自開力を蓄積し、ドアを開く際この自開力により突き出し部材を前進させてドアの開放を補助するようにしたドアの開放補助装置において、ドアを閉じる際ドア枠若しくはドアに当って上記突き出し部材を後退させるよう作動部材を形成し、上記自開力を蓄積した状態で上記突き出し部材を後退位置に保持する保持手段を設け、ドアを開くとき該保持手段の保持を解除するよう解除手段を設けたことを特徴とするドアの開放補助装置。
【請求項５】
上記突き出し部材と作動部材はドアの閉じ力より大きな自開力を蓄積するよう倍力機構を介して連結されている請求項４に記載のドアの開放補助装置。
【請求項６】
上記突き出し部材は、付勢力を調整可能に設けた付勢手段で付勢されている請求項４に記載のドアの開放補助装置。
【請求項７】
上記作動部材は、ドア若しくはドア枠に取り付けられる本体内に回動可能に枢着されたレバーを含み、上記倍力機構は、該レバーの基端に設けられたレバー制御片と該レバー制御片と連動するよう上記突き出し部材に連結された突き出し部材制御片を含む請求項５に記載のドアの開放補助装置。
【請求項８】
上記レバー制御片と突き出し部材制御片は上記レバーがドア枠若しくはドアに押圧されて回動するときは連動し、ドアを開放するときは連動しないよう一方向クラッチを介して上記レバーの枢軸に連結されている請求項７に記載のドアの開放補助装置。
【請求項９】
上記作動部材は、本体内に進退可能に設けたセット片を含み、上記倍力機構は、該セット片に連結した連結アームと該連結アームに連動するよう上記突き出し部材に連結した連結アームを含む請求項５に記載のドアの開放補助装置。
【請求項１０】
上記保持手段は、上記突き出し部材に形成した爪部と該爪部に係合する係止爪片を含む請求項４に記載のドアの開放補助装置。
【請求項１１】
上記保持手段は、上記突き出し部材及び作動部材に形成した爪部と該爪部にそれぞれ係合する係止爪片を含む請求項４に記載のドアの開放補助装置。
【請求項１２】
上記作動部材の爪部に係合する係止爪片は、上記突き出し部材の爪部に係合する係止爪片より遅れて作動するよう上記解除手段に連結している請求項１１に記載のドアの開放補助装置。
【請求項１３】
上記解除手段は、上記係止爪片を作動させるハンドルを含む請求項１０ないし１２のいずれかに記載のドアの開放補助装置。
【発明の詳細な説明】
【技術分野】
【０００１】
本発明は、引き戸等のドアを開く際に、開き初めの段階で開放を補助できるようにしたドアの開放補助方法及びその装置に関するものである。
【背景技術】
【０００２】
ドアを閉鎖状態から開放する際、ドアを軽く開くことができるよう開き力を補助する装置が知られている（例えば、特許文献１、２参照）。これらの補助装置は、ドアを閉じる際にばねを圧縮等して自開力を蓄積し、その自開力をドアの開放方向に常時作用させることにより、開放を補助している。そのため、これらの装置では、ドアを閉鎖した状態でドアの開放操作をしなくても常に開放方向に自開力が作用しているから、ドアクローザー等によりドアを確実に閉鎖するためには、上記自開力以上の強い閉じ力を必要としたり、またラッチ等により鎖錠しなければならなかった。そのため、開放操作が面倒になったり、ドアクローザーによる閉じ力の調整がむずかしくなったりした。
【特許文献１】特開平１１−２８０３２９号公報（特許請求の範囲、図１〜図８）
【特許文献２】特開２００４−１２４６５１号公報（特許請求の範囲、〔０００９〕、〔００５１〕、図１０）
【発明の開示】
【発明が解決しようとする課題】
【０００３】
本発明の解決課題は、ドアを開放する際の開き力を補助するため自開力を付加してドアの開放を補助するものにおいて、ドアを閉鎖した状態では自開力はドアに作用せず、ドアの閉じ力を有効に活用して確実に閉鎖することができるようにしたドアの開放補助方法及びその装置を提供することである。
【０００４】
また、本発明の解決課題は、構成が簡単で経済的に得られる上記ドアの開放補助装置を提供することである。
【課題を解決するための手段】
【０００５】
本発明によれば、ドアを閉じるとき付勢手段に自開力を蓄積し、ドアを閉じた状態ではこの自開力が発現しないよう上記付勢手段を保持し、ドアを開くとき上記保持を解除して自開力を発現し、ドアの開放直後の暫時の間上記自開力によりドアの開放を補助することを特徴とするドアの開放補助方法が提供され、上記課題が解決される。
【０００６】
また、本発明によれば、ドアを開く方向に付勢する突き出し部材を有し、ドアを閉じるとき該突き出し部材を後退させて自開力を蓄積し、ドアを開く際この自開力により突き出し部材を前進させてドアの開放を補助するようにしたドアの開放補助装置において、上記自開力を蓄積した状態で上記突き出し部材を後退位置に保持する保持手段を設け、ドアを開くとき該保持手段の保持を解除するよう解除手段を設けたことを特徴とするドアの開放補助装置が提供され、上記課題が解決される。
【０００７】
さらに、本発明によれば、上記ドアの開放補助装置は、ドアを閉じる際ドア枠若しくはドアに当って上記突き出し部材を後退させる作動部材を有し、該作動部材と突き出し部材の間には該突き出し部材を容易に移動できるよう倍力機構が設けられ、上記保持手段は上記突き出し部材に形成した爪部とこの爪部に係合する係止爪片を含んでいる上記装置が提供される。
【発明の効果】
【０００８】
本発明は上記のように構成されているので、ドアを閉じる際、上記作動部材はドア枠若しくはドアに当接して移動し、上記突き出し部材は前進位置から後退位置に移動され、該突き出し部材を付勢している圧縮ばね等の付勢手段には復元力が自開力として蓄積されるが、上記突き出し部材を後退位置で保持して自開力が発現しないようにしたから、ドアを閉鎖した状態で上記突き出し部材が移動しないようにでき、ドアには自開力が作用することはなく、そのためドアを通常の閉じ力により確実に閉鎖することができる。そしてドアを開く際は、解除手段により上記保持手段の保持を解除すると、上記突き出し部材は付勢手段の自開力（復元力）により本体から突出し、ドアの開放直後の暫時の間、開放を補助することができる。
【０００９】
また、作動部材と突き出し部材の間に倍力機構を設けることにより、突き出し部材の付勢力を大きくしても容易に該突き出し部材を後退させることができ、ドアの開放を補助する際の補助力を大きくすることが可能である。その上、上記突き出し部材よりも遅れて作動部材が復帰するようにすると、上記突き出し部材の動きに支障を与えることが少なく、確実に突き出し部材を突出させることができ、ドアの開放を一層容易にすることができ、また構成が簡単で経済的に得ることができる。
【発明を実施するための最良の形態】
【００１０】
図１は、本発明の一実施例の構成を示す説明図であり、装置本体（１）は、引き戸等のドア（２）若しくはドア枠（３）に設けることができるが、図に示す実施例ではドア（２）に設けてあり、ドア枠（３）には該本体に対向して、所望により位置調整台（４）が設けられている。上記本体（１）内には、ドアを閉じるとき後退するよう突き出し部材を設けてある。該突き出し部材は、ドアを閉じる際にその先端部がドア枠若しくはドアに当接して移動されるように構成することもできるが、好ましくは作動部材を介して突き出し部材を後退させるとよい。なお、本発明は各種のドアに適用することもできるが、好ましくはドア枠に小口が当接する引き戸に設けられる。
【００１１】
上記作動部材は、種々に構成することができ、図１〜図４には、作動部材としてレバーを用いた実施例が示されている。すなわち、上記本体（１）に設けた枢軸（５）には、レバー（６）を回動可能に枢着してあり、該レバー（６）は先端部（７）がドアを閉じる際ドア枠に当接するよう本体（１）から突出し、基部が後記するように突き出し部材に連絡している。なお、該レバー（６）は、弱い戻しばね（８）で、止片（９）が開口縁等の止部（１０）に当るまで、図１において反時計方向に回動するよう付勢されている。
【００１２】
突き出し部材（１１）は、上記本体（１）内に進退可能に設けられ、かつドアを開く際に先端がドアの小口から突出するよう前進方向に圧縮ばね（１２）等の付勢手段で付勢され、ストッパー（１３）が本体に設けた止部（１４）に当るまで前進する。上記付勢手段としては、圧縮ばねに代えて引張りばねやねじりコイルばね等を用いることもでき、上記レバー（６）の戻しばね（８）よりも強いばねを用いることが好ましく、所望により図２に示すように、ばね（１２）の後端支持部等に調整ボルト（３７）等の調整手段を設けてばね圧を調整できるようにしてもよい。なお、上記突き出し部材（１１）や作動部材等は、本体内に設けた適宜の案内部材に案内されて前後動するが、該案内手段の構成については詳述しない。
【００１３】
上記レバー（６）の先端部（７）は、ドアを開放した状態において、上記突き出し部材（１１）の先端（１５）よりも大きく本体（１）から突出しており、好ましくは該突き出し部材（１１）の先端（１５）の突出量（Ａ）は、上記レバー（６）の先端部（７）の突出量（Ｂ）の半分若しくはそれ以下とするとよい。さらに、上記レバー（６）の枢軸（５）と上記先端部（７）間の長さ（Ｃ）に対して、上記突き出し部材（１１）は該長さ（Ｃ）の中間部若しくはそれより上記枢軸（５）寄りの長さ（Ｄ）となる位置に設けてあり、それにより上記圧縮ばね（１２）等の付勢手段の復元力（自開力）を大きくすることが可能である。
【００１４】
上記レバー（６）と突き出し部材（１１）は、上記レバー（６）がドア枠（３）に当って回動する際に、上記突き出し部材（１１）が前進位置から後退位置に移動するよう連結されているが、好ましくは倍力機構を介して連結されている。この連結手段や倍力機構としては、回転運動するレバー（６）の動きを直線運動に変えて突き出し部材（１１）の動きに伝達し、この伝達機構にてこ作用等による倍力機構を設けて突き出し部材を軽く移動できるようにした適宜の機構を用いることができる。
【００１５】
図１〜図４に示す実施例では、上記レバー（６）の基端に固定ピン（１６）、（１６）により固着した略扇形のレバー制御片（１７）を一方向クラッチ（１８）を介して上記レバー（６）の枢軸（５）に取り付け、該レバー制御片（１７）がレバー（６）と一緒に回動するようにしてある。また、上記枢軸（５）には、一方向クラッチ（１９）を介して略扇形の突き出し部材制御片（２０）を取り付けてあり、該突き出し部材制御片（２０）に設けた連結ピン（２１）が上記突き出し部材（１１）に形成した長孔（２２）に嵌入し、該突き出し部材制御片（２０）が回動した際に上記突き出し部材（１１）が前後動するように連結している。なお、図に示す実施例では、レバー制御片（１７）と突き出し部材制御片（２０）の輪郭をほぼ同形に形成してあるが、外形状を変えることもでき、突き出し部材制御片（２０）を省略してレバー制御片（１７）に連結ピン（２１）を設けて連結してもよい。
【００１６】
上記一方向クラッチ（１８）、（１９）は、上記レバー（６）がドア枠（３）に当接して、図１において時計方向に回動する際、クラッチがかみ合い、レバー制御片（１７）、一方向クラッチ（１８）、枢軸（５）、一方向クラッチ（１９）を介して突き出し部材制御片（２０）が連動するようにしてあり、上記突き出し部材制御片（２０）若しくはレバー制御片（１７）が逆方向（図１において反時計方向）に回動するときは、クラッチが空転して連動しないようにしてある。なお、一方向クラッチを省略して上記レバー制御片（１７）と突き出し部材制御片（２０）が常に連動するようにしてもよい。
【００１７】
上記突き出し部材（１１）には、該突き出し部材（１１）を後退位置に保持するよう保持手段が設けられており、好ましくは上記レバー（６）にも同様の保持手段が設けられている。図に示す実施例の保持手段は、上記レバー制御片（１７）及び突き出し部材制御片（２０）の外周縁に形成した爪部（２３）、（２４）と、該爪部（２３）、（２４）にそれぞれ係合するよう本体（１）に設けた軸（２５）に揺動可能に枢着した係止爪片（２６）、（２７）を含み、該係止爪片は、ばね（２８）で係合方向に付勢されている。該爪部と係止爪片の形状は、レバー制御片（１７）及び突き出し部材制御片（２０）が、図１において時計方向に回動するときすなわち、突き出し部材の後退動を許容するが、逆方向の回動は阻止するような形状に形成してあり、該係止爪片（２６）、（２７）の揺動はストッパー（３６）で制限するようにしてある。
【００１８】
上記保持手段の保持を解除する解除手段が設けられている。該解除手段は、保持手段の構成に応じて種々に構成することもでき、好ましくは、ドアを開閉するハンドルと連動させるとよい。図１〜図４に示す実施例では、ドア（２）にハンドル（２９）を取り付け、該ハンドルの回動軸（３０）に作用片（３１）を設け、該作用片（３１）に解除ピン（３２）を突設してある。該解除ピン（３２）は、上記係止爪片（２６）、（２７）の作用端（３３）、（３４）に近接して設けられている。該作用端（３３）、（３４）は、上記ハンドル（２９）を回動した際、上記解除ピン（３２）が最初に突き出し部材側係止爪片（２７）の作用端（３４）に当り、その後にレバー側係止爪片（２６）の作用端（３３）に当るよう傾斜角度を変えて設けてあり、この構成により、上記レバー側係止爪片（２６）が突き出し部材側係止爪片（２７）より遅れて作動するようにしてある。上記ハンドル（２９）の回動は、ストッパー（３５）で制限される。
【００１９】
上記実施例における解除手段のハンドルとしては、回動ハンドルが示されているが、取手や平面ハンドル等をドアに設け、適宜のリンク機構やカム機構を併設して上記取手等をつかんだときに上述の如き解除ピンが連動するようにしたり、上記係止爪片（２６）、（２７）が同時に作動するようにしたり、該係止爪片を直接揺動させるための適宜のレバーやスライド片等を設けてもよい。
【００２０】
而して、図１に示すように、ドア（２）を自動閉鎖装置等によって閉めると、ドアの小口がドア枠（３）に近づいたときに、レバー（６）の先端部（７）がドア枠（３）に当接し、該レバー（６）は戻しばね（８）に抗して、図において時計方向に回動する。該レバー（６）の回動は、上記レバー制御片（１７）、突き出し部材制御片（２０）等を介して突き出し部材（１１）に伝えられ、該突き出し部材（１１）は前進位置から後退位置に向けて移動し、該突き出し部材（１１）を付勢している圧縮ばね（１２）等の付勢手段には復元力が自開力として蓄積される。そして、後退位置において、上記突き出し部材（１１）は、図３に示すように保持手段で保持されるので、先端（１５）が本体（１）から突出することはなく、ドアを確実に閉鎖することができる。
【００２１】
ドアを開放する際、上記ハンドル（２９）を時計方向に回動すると、解除ピン（３２）は突き出し部材側係止爪片（２７）の作用端（３４）に当って該係止爪片（２７）による突き出し部材制御片（２０）の保持を解除し、上記圧縮ばね（１２）等の付勢手段の復元力により突き出し部材（１１）は前進位置に移動し、本体（１）から突き出した先端（１５）がドア枠（３）を押圧してドア（２）の開放を補助することができる。この間に、上記解除ピン（３２）は、レバー側係止爪片（２６）の作用端（３３）に当って該係止爪片（２６）によるレバー制御片（１７）の保持を解除するから、上記レバー（６）は戻しばね（８）により反時計方向に回動し、図１に示す状態に戻る。
【００２２】
図５には、作動部材として本体内に進退可能にセット片（３８）を設けた実施例が示されている。上記セット片（３８）と突き出し部材（１１）には、ドアを開いている状態で突き出し部材（１１）の先端よりも大きくセット片が突出するよう適宜のストッパー（図示略）が設けられており、また該セット片（３８）及び突き出し部材（１１）の内方には、それぞれ連結アーム（３９）、（４０）の一端が連結されている。各連結アーム（３９）、（４０）は、支点（４１）、（４２）を中心に揺動可能に設けられ、他端どうしを連結することによりセット片（３８）に連動して突き出し部材（１１）が移動する。なお、説明の都合上、各連結アームの連結部分は丸印で表示してあるが、この部分は連結アームが揺動できるように一方の連結部に長孔等を設けて移動可能にしてあり、各支点（４１）、（４２）の位置は、突き出し部材を容易に移動できるようてこ作用により倍力機構を構成できる位置に設けられている。
【００２３】
上記セット片（３８）及び突き出し部材（１１）には、上記実施例と同じように保持手段を構成する爪部（４３）、（４４）（後退動は許容する形状）を形成してあり、各爪部（４３）、（４４）にそれぞれ係合するようにセット片側係止爪片（４５）及び突き出し部材側係止爪片（４６）が設けられている。各係止爪片（４５）、（４６）は、図示を省略したばね等により上記爪部（４３）、（４４）に係合する方向に回動するよう軸（４７）、（４８）に枢着され、また解除手段を構成するハンドル（図示略）により回転する回転板（４９）と上記係止爪片（４５）、（４６）がそれぞれ連結板（５０）、（５１）で連結されている。
【００２４】
而して、ドア（２）を閉じる際、セット片（３８）の先端がドア枠（３）に当ると、該セット片（３８）は後退し、連結アーム（３９）、（４０）を介して突き出し部材（１１）が後退され、該突き出し部材（１１）を付勢している圧縮ばね（１２）等の付勢手段は押圧されて、復元力（自開力）が蓄積される。上記セット片（３８）及び突き出し部材（１１）に形成された爪部（４３）、（４４）には、後退動を許容する係止爪片（４５）、（４６）が係合しているので、該セット片（３８）及び突き出し部材（１１）は後退位置に保持され、ドアを閉じた状態で上記付勢手段の自開力が発現することはない。
【００２５】
ドアを開ける際、ハンドルを操作して上記回転板（４９）を矢印（５２）方向に回動すると、上記連結板（５０）、（５１）を介して上記係止爪片（４５）、（４６）は爪部（４３）、（４４）から離れるので、上記突き出し部材（１１）は付勢手段の復元力（自開力）により前進位置に突出し、先端がドア枠（３）に当ってドアの開放を補助することができる。
【００２６】
図６には、セット片を用いた他の実施例が示されている。この実施例は、基本的には図５に示す実施例と同じであるので、説明の重複を避けるため主な相違点につき述べると、セット片（３８）と突き出し部材（１１）を近接して設け、連結アーム（３９）、（４０）の他端どうしをリンク（５３）を介して連結し、係止爪片（４５）、（４６）を軸（２５）に枢着し、ハンドル（２９）により回動される解除ピン（３２）を上記図１に示す実施例とほぼ同じように設けてある。
【００２７】
図６において、ドア（２）を閉じると、上記セット片（３８）がドア枠（３）に当って後退し、連結アーム（３９）、（４０）及びリンク（５３）を介して突き出し部材（１１）も後退し、圧縮ばね（１２）等の付勢手段には復元力（自開力）が蓄積され、後退動を許容する爪部（４３）、（４４）と係止爪片（４５）、（４６）の係合により突き出し部材（１１）及びセット片（３８）は後退位置に保持される。
【００２８】
ドアを開く際に上記ハンドルを回動して解除ピン（３２）を係止爪片（４５）、（４６）の作用端に当接させて該係止爪片を回動し、該係止爪片（４５）、（４６）と爪部（４３）、（４４）の係合を外すと、上記突き出し部材（１１）は付勢手段の復元力により前進位置に突出し、ドアの開放を補助することができる。この際図１に示すように、上記係止爪片（４５）、（４６）の作用端の傾斜角度を変えてセット片側の係止爪片（４５）が突き出し部材側の係止爪片（４６）よりも遅れて回動するように構成することもできる。
【００２９】
上述したように、上記本体はドア枠側に設けることもでき、この場合には上記レバーやセット片の先端部は、ドアを閉じる際にドアに当接して移動されるが、基本的な作動は上述した実施例とほぼ同様である。
【図面の簡単な説明】
【００３０】
【図１】本発明の一実施例を示す説明図。
【図２】一部の変形例を示す説明図。
【図３】ドアを閉じた状態の説明図。
【図４】断面図。
【図５】他の実施例を示す説明図。
【図６】さらに他の実施例を示す説明図。
【符号の説明】
【００３１】
１    本体
２    ドア
３    ドア枠
５    枢軸
６    レバー
７    レバーの先端部
１１    突き出し部材
１２    圧縮ばね
１７    レバー制御片
１８、１９    一方向クラッチ
２０    突き出し部材制御片
２３、２４、４３、４４    爪部
２６、２７、４５、４６    係止爪片
２９    ハンドル
３２    解除ピン
３３、３４    作用端
３８    セット片
３９、４０    連結アーム
【図１】
2006118116.tif 000003
【図２】
2006118116.tif 000004
【図３】
2006118116.tif 000005
【図４】
2006118116.tif 000006
【図５】
2006118116.tif 000007
【図６】
2006118116.tif 000008